(57)【要約】【課題】  電子機器の壁掛け構造において、外観の見映えが悪くならないようにし、かつ筺体を組み立てるための作業時間を短縮させる。【解決手段】  リアーケース３の背面板２１には、壁５２にねじ止めするための挿通孔が設けられ、上面板２４の内側にはフロントケース２の係合溝１８が係合する係合突起２８が突設されている。リアーケース３の底面板３１には、係合片３７を収納する凹部３２が設けられ、凹部３２は蓋４１によって覆われる。凹部３２にねじ３９によってねじ止めされた係合片３７の先端部３７ｂは、フロントケース２に固定された仕切部材４の係合部材４８に係合し、両ケース２，３が結合される。【選択図】  図４
2010010542.tif 000002
【特許請求の範囲】
【請求項１】
前面板とこの前面板の周縁から突設され枠状に形成された囲い壁とによって背面側が開口したフロントケースと、背面板とこの背面板の周縁から突設され枠状に形成された囲い壁とによって前面側が開口し背面板が支持部材に支持されるリアーケースとを備え、互いの開口を覆うように前記リアーケースの囲い壁によって前記フロントケースの囲い壁を囲むように両ケースを結合させた電子機器の壁掛け構造において、
前記リアーケースの背面板に、当該背面板の内側から前記支持部材にねじ止めするためのねじを挿通させる挿通孔を設け、
前記フロントケースの囲い壁の上面板と前記リアーケースの囲い壁の上面板とに、フロントケースの回動支点部を設け、
前記リアーケースの囲い壁の底面板に凹部を設け、この凹部に上下方向に移動自在に支持される係合片を設け、この係合片を凹部にねじ止めすることにより当該係合片が係合し前記フロントケースの前記回動支点部を中心とした回動を規制する係合部を前記フロントケース側に設けたことを特徴とする電子機器の壁掛け構造。
【請求項２】
前記凹部に着脱自在に取り付けられ当該凹部を覆う蓋を備えたことを特徴とする請求項１記載の電子機器の壁掛け構造。
【発明の詳細な説明】
【技術分野】
【０００１】
本発明は、電子機器を家屋の壁や支柱等に掛ける電子機器の壁掛け構造に関するものである。
【背景技術】
【０００２】
従来の電子機器の壁掛け構造としては、特許文献１に示されたものがある。これを図８に基づいて説明する。同図に全体を符号１０１で示す電子機器は、背面側が開口したフロントケース１０２と、このフロントケース１０２の開口を覆うようにフロントケース１０２にねじ止めされるリアーパネル１０３とを備え、リアーパネル１０３の上下には壁掛け用の支持片１０４，１０５が突設されている。このような構成において、フロントケース１０２に立設したスタッド１０６に、リアーケース１０３に設けた挿通孔１０７から挿通させたねじを螺合させることにより、フロントケース１０２にリアーケース１０３を取り付けて筺体を形成する。筺体形成後に、リアーパネル１０３を壁に対接させ、支持片１０４のフック孔１０４ａと支持片１０５の支持孔１０５ａに挿通させたねじを壁（いずれも図示せず）にねじ込むことにより、電子機器１を壁に掛けるようにしていた。
【特許文献１】特開２００６−２０３１２７号公報
【発明の開示】
【発明が解決しようとする課題】
【０００３】
上述した従来の電子機器の壁掛け構造においては、壁掛け用の支持片１０４，１０５がリアーパネル１０３の輪郭からはみ出た構造であるため、電子機器１を壁に掛けた状態でこれら支持片１０４，１０５が視認されることになり、外観の見映えが悪いという問題があった。また、フロントケース１０２にリアーパネル１０３を取り付けるのに、複数本のねじを必要とするため、ねじの本数分だけ作業時間が余計にかかるという問題もあった。
【０００４】
本発明は上記した従来の問題に鑑みなされたものであり、その目的とするところは、外観の見映えが悪くならないようにし、かつ筺体を組み立てるための作業時間を短縮させた電子機器の壁掛け構造を提供するところにある。
【課題を解決するための手段】
【０００５】
この目的を達成するために、本発明は、前面板とこの前面板の周縁から突設され枠状に形成された囲い壁とによって背面側が開口したフロントケースと、背面板とこの背面板の周縁から突設され枠状に形成された囲い壁とによって前面側が開口し背面板が支持部材に支持されるリアーケースとを備え、互いの開口を覆うように前記リアーケースの囲い壁によって前記フロントケースの囲い壁を囲むように両ケースを結合させた電子機器の壁掛け構造において、前記リアーケースの背面板に、当該背面板の内側から前記支持部材にねじ止めするためのねじを挿通させる挿通孔を設け、前記フロントケースの囲い壁の上面板と前記リアーケースの囲い壁の上面板とに、フロントケースの回動支点部を設け、前記リアーケースの囲い壁の底面板に凹部を設け、この凹部に上下方向に移動自在に支持される係合片を設け、この係合片を凹部にねじ止めすることにより当該係合片が係合し前記フロントケースの前記回動支点部を中心とした回動を規制する係合部を前記フロントケース側に設けたものである。
【０００６】
本発明は、前記発明において、前記凹部に着脱自在に取り付けられ当該凹部を覆う蓋を備えたものである。
【発明の効果】
【０００７】
本発明によれば、支持部材に取り付けられた電子機器は、係合片がリアーケースの凹部内に収容されるととも、従来のようにリアーケースの周縁に壁掛け用の支持片を設ける必要がないため、正面側から視てリアーケースの囲い壁の周縁から露呈するものがないから、外観の見映えを損なうようなことがない。また、一本のねじによって係合片を凹部にねじ止めする作業だけで両ケースを結合することができるため、組立作業が容易になるとともに組立の作業時間を短縮することができる。
【０００８】
前記発明のうちの一つの発明によれば、凹部を覆う蓋を設けたことにより、外観の見映えを損なうようなことがない。
【発明を実施するための最良の形態】
【０００９】
以下、本発明の実施の形態を図１ないし図７に基づいて説明する。図１に全体を符号１で示す電子機器は、フロントケース２と、このフロントケース２とともに筺体を形成するリアーケース３と、これら両ケース２，３間に設けられた仕切部材４とによって概ね構成されている。フロントケース２は、正方形に形成された前面板１１と、この前面板１１の周縁から一体に突設され枠状に形成された囲い壁１２とによって背面側に開口部１３を有する有底角筒状に形成されている。
【００１０】
囲い壁１２を構成している上面板１４には、両側面板１５，１６間に延在する二つの凸条体１７，１７が互いに平行となるように一体に突設されて並設されている。１８は凸条体１７と平行で両側面板１５，１６間に延在するように上面板１４に凹設された係合溝である。囲い壁１２の内側には、全周にわたって段部１２ａが設けられており、前面板１１の四隅には、四本のスタッド２０が一体に突設されている。
【００１１】
リアーケース３は、正方形に形成された背面板２１と、この背面板２１の周縁から一体に突設され枠状に形成された囲い壁２２とによって前面側に開口部２３を有する有底角筒状に形成されている。囲い壁２２を構成している上面板２４の内側には、図４に示すように両側面板２５，２６間に延在し上記した二つの凸条体１７，１７が嵌合する嵌合凹部２７が凹設されている。２８は上記した係合溝１８に係合する係合突起であって、両側面板２５，２６間に延在するように上面板２４の内側に突設されている。
【００１２】
図１において、２９は背面板２１の上下に設けられたねじ挿通孔である。図１および図３において、３０，３０は囲い壁２２を構成している底面板３１の両側部に設けられた排水口であって、後述するようにリアーケース３にフロントケース２を結合することにより排水路４７の下端と連通される。
【００１３】
底面板３１の略中央部には、図３に示すように凹部３２が設けられており、この凹部３２の底部３２ａには、図５に示すように細長い長方形に形成された挿通溝３２ｂと、この挿通溝３２ｂの両側に一対の係合孔３２ｃ，３２ｃとが設けられている。挿通溝３２ｂに対応して、背面板２１には、平面視Ｕ字状に形成されねじ穴３３ａが設けられた案内凸部３３が突設されている。３４，３４は案内凸部３３を挟むように背面板２１に突設された載置片であって、背面板２１からの突設高さが案内凸部３３よりも低く形成されている。３５は凹部３２の底部３２ａに一体に突設された取付体であって、図３に示すように後述するねじ３９が螺合するねじ筒３６が埋設されている。
【００１４】
図５において、３７はＵ字状溝３７ａを有する係合片であって、基部３８が直角に折曲形成されており、基部３８の延設部３８ａにはねじ３９が螺合している。Ｕ字状溝３７ａの幅Ｗ２は、上記した案内凸部３３の幅Ｗ１よりもわずかに大きく形成されている。このような構成において、係合片３７を凹部３２の挿通溝３２ｂを通してリアーケース３内に挿入し、案内凸部３３にＵ字状溝３７ａを嵌入させるようにして載置片３４上に載置する。次いで、鍔付きのねじ４０を案内凸部３３のねじ穴３３ａに螺合することにより、係合片３７は、Ｕ字状溝３７ａが案内凸部３３に案内されるようにして上下方向（矢印Ａ−Ｂ方向）に移動自在に支持される。この状態で、ねじ３９を取付体３５のねじ筒３６に螺合させることにより、係合片３７が矢印Ａ方向に移動し、基部３８が凹部３２の底部３２ａに取り付けられるとともに凹部３２内に収容される。４１は凹部３２に着脱自在に取り付けられ当該凹部３２を覆う蓋であって、両側部に互いに対向する一対の弾性係合片４１ａ，４１ａが一体に突設されており、これら弾性係合片４１ａ，４１ａのそれぞれの自由端部には、係合孔３２ｃ，３２ｃに係合する係合爪４１ｂ，４１ｂが設けられている。
【００１５】
仕切部材４は、図１に示すように枠状に形成されたベース部４２と、このベース部４２の中央部に有底角筒状に一体に形成された電池収納部４３とからなり、ベース部４２の四隅にはねじ挿通孔４４が設けられている。ベース部４２の外形寸法は、フロントケース２の開口部１３の外形寸法よりもわずかに小さく設定されている。ベース部４２の上側（矢印Ａ方向）には、中央部から両側に向かって下方に傾斜した屋根４５が設けられており、この屋根４５の両側端部には、この屋根４５に連設された一対の堤４６，４６が下方（矢印Ｂ方向）に向かって延設されている。これら堤４６，４６は、後述するようにリアーケース３にフロントケース２が結合されることにより、リアーケース３の両側面板２５，２６とによって、屋根４５によって導かれた雨水を下方に導く排水路４７，４７を形成する。
【００１６】
ベース部４２の下側の略中央部には、図６に示すように断面コ字状に形成された係合部材４８が突設されており、この係合部材４８には、後述するように係合片３７を矢印Ａ方向へ移動させた際に、この係合片３７の先端部３７ｂを係合部材４８内に導入する導入口４８ａが設けられている。このような構成において、図４に示すようにフロントケース２とリアーケース３の互いの開口１３，２３を覆った状態で、図５に示すようにねじ３９を取付体３５のねじ筒３６に螺合させることにより、係合片３７の先端部３７ｂが導入口４８ａから係合部材４８内に進入する。係合部材４８内に進入した係合片３７の先端部３７ｂは、係合部材４８の係合部４８ｂに係合することにより、図４に示すようにフロントケース２がリアーケース３の係合突起２８を回動中心とした図中時計方向への回動が規制され、フロントケース２とリアーケース３とが結合される。図１において、４９はベース部４２の前面側に貼着されたシール部材である。
【００１７】
次に、このように構成された電子機器の組立方法および壁に取り付ける方法について説明する。先ず、図１に示すように、仕切部材４をフロントケース２の開口１３からフロントケース２内に嵌入させ、シール部材４９を介して仕切部材４のベース部４２の周端縁をフロントケース２の段部１２ａに対接させる。次いで、仕切部材４のねじ挿通孔４４から挿通させたねじ５０をフロントケース２のスタッド２０に螺合させることにより、仕切部材４をフロントケース２に取り付ける。この状態で、図７に示すように、側面視において仕切部材４の屋根４５および堤４６が、フロントケース２の開口１３から突出している。
【００１８】
次いで、リアーケース３の背面板２１を壁５２に対接させ、ねじ５１を背面板２１のねじ挿通孔２９を挿通させ支持部材としての壁５２にねじ込むことにより、リアーケース３を壁５２に取り付ける。次に、仕切部材４を取り付けたフロントケース２を傾け、上面板１４をリアーケース３の開口部２３からリアーケース３内に差し入れ、リアーケース３の係合突起２８にフロントケース２の係合溝１８を係合させる。この状態で、係合突起２８を回動中心としてフロントケース２を図中反時計方向に回動させることにより、フロントケース２の底面板１９をリアーケース３の底面板１に対向させるようにして、フロントケース２の背面側をリアーケース３内に収容する。
【００１９】
次いで、ドライバーをリアーケース３の下方から凹部３２に差し入れ、図４に示すようにねじ３９を取付体３５のねじ筒３６に螺合させることにより、係合片３７が矢印Ａ方向に移動するので、係合片３７の先端部が係合部材４８の導入口４８ａから係合部材４８内に進入し係合部４８ｂに係合する。したがって、フロントケース２とリアーケース３とは、上部において係合突起２８が係合溝１８に係合し、下部において係合片３７が係合部材４８の係合部４８ｂに係合することにより、リアーケース３の囲い壁２２がフロントケース２の囲い壁１２を囲むようにして結合される。両ケース２，３を結合させることにより、フロントケース２の堤４６，４６とリアーケース３の両側面板２５，２６とによって、屋根４５によって導かれた雨水を下方に導く排水路４７，４７が形成される。このように、一本のねじ３９をねじ込む作業だけで両ケース２，３を結合することができるため、組立作業が容易になるとともに組立の作業時間を短縮することができる。
【００２０】
また、壁５２に取り付けられた電子機器１は、図４に示すように係合片３７の基部３８がリアーケース３の凹部３２内に収容されるととも、従来のようにリアーケース３の周縁に壁掛け用の支持片を設ける必要がないため、正面側（矢印Ｃ方向）から視てリアーケース３の囲い壁２２の周縁から露呈するものがないから、外観の見映えを損なうようなことがない。
【００２１】
また、複数の凸条体１７とこれら凸条体１７が嵌合する嵌合凹部２７とによって、互いの囲い壁１２の上面板１４と囲い壁２２の上面板２４との間に形成される隙間から浸入する雨水等に対する防水距離が長くなるため、水密性が高くなり防水性が向上する。また、防水のための専用の部品を必要としないばかりか、両ケース２，３を組み付けることにより防水性を向上させることができるため、部品点数と組立工数を削減することができる。また、仮に装置内に雨水等が浸入したとしても、雨水は屋根４５を介して排水路４７に導かれ排水口３０から装置の外部に排水することができる。
【００２２】
最後に、図１および図５に示すように、蓋４１の弾性係合片４１ａ，４１ａを弾性変形させながら、係合爪４１ｂ，４１ｂを凹部３２の係合孔３２ｃ，３２ｃに係合させることにより、蓋４１を凹部３２に取り付け、蓋４１によって凹部３２を覆う。このように凹部３２を着脱自在に覆う蓋４１を設けたことにより、外観の見映えを損なうようなことがない。
【図面の簡単な説明】
【００２３】
【図１】本発明に係る電子機器を分解して示す斜視図である。
【図２】本発明に係る電子機器のリアーケースを取り外した状態での背面図である。
【図３】本発明に係る電子機器のリアーケースを一部破断して示す正面図である。
【図４】図２におけるIV-IV 線断面図で、本発明に係る電子機器を壁に取り付けた状態を示す。
【図５】本発明に係る電子機器のリアーケースに係合片を組み付ける状態を説明するために、リアーケースを正面側から視た要部の斜視図である。
【図６】本発明に係る電子機器の仕切部材に係合片を係合させる動作を説明するために、仕切部材を正面側から視た要部の斜視図である。
【図７】本発明に係る電子機器を壁に取り付ける方法を説明するための断面図である。
【図８】同図（Ａ）は従来の電子機器の壁掛け構造を分解して示す斜視図、同図（Ｂ）は同じくリアーケースの平面図である。
【符号の説明】
【００２４】
１…電子機器、２…フロントケース、３…リアーケース、４…仕切部材、１２，２２…囲い壁、１３，２３…開口部、１７…凸条体、１８…係合溝、２７…嵌合凹部、２８…係合突起、２９…ねじ挿通孔、３０…排水口、３２…凹部、３７…係合片、４１…蓋、４５…屋根、４７…排水路、４８…係合部材、５２…壁（支持部材）。
【図１】
2010010542.tif 000003
【図２】
2010010542.tif 000004
【図３】
2010010542.tif 000005
【図４】
2010010542.tif 000006
【図５】
2010010542.tif 000007
【図６】
2010010542.tif 000008
【図７】
2010010542.tif 000009
【図８】
2010010542.tif 000010